(57)【要約】【課題】構造が簡単で、製造し易く、且つ伸縮自在な入力ペンを提供すること。【解決手段】本発明の入力ペンは、中空の筆立部と、前記筆立部内に伸縮可能に収納される筆芯部と、それぞれ前記筆立部の両端に装着される第一位置決め部材及び第二位置決め部材と、を備えてなる。前記筆芯部の一端には係止凹溝が設けられており、前記第一位置決め部材及び前記第二位置決め部材の内壁には、それぞれ凸状ブリが設けられておる。前記第一位置決め部材の凸状ブリ又は前記第二位置決め部材の凸状ブリを前記筆芯部の係止凹溝に選択的に係合させることにより、前記筆芯部を前記筆立部に対して異なる位置に位置決めする。【選択図】図６
2011198350.tif 000002
【特許請求の範囲】
【請求項１】
中空の筆立部と、
前記筆立部内に伸縮可能に収納される筆芯部と、
それぞれ前記筆立部の両端に装着される第一位置決め部材及び第二位置決め部材と、
を備えてなる入力ペンであって、
前記筆芯部の一端には係止凹溝が設けられており、前記第一位置決め部材及び前記第二位置決め部材の内壁には、それぞれ凸状ブリが設けられており、
前記第一位置決め部材の凸状ブリ又は前記第二位置決め部材の凸状ブリを前記筆芯部の係止凹溝に選択的に係合させることにより、前記筆芯部を前記筆立部に対して異なる位置に位置決めすることを特徴とする入力ペン。
【請求項２】
前記第一位置決め部材は互いに連結する螺合部及び係止部を含み、前記第一位置決め部材の螺合部は前記筆立部の一端に螺合され、前記第一位置決め部材の係止部は前記筆立部内に収納され、前記第一位置決め部材の凸状リブは前記第一位置決め部材の係止部の内壁に形成されることを特徴とする請求項１に記載の入力ペン。
【請求項３】
前記第二位置決め部材は互いに連結する螺合部及び係止部を含み、前記第二位置決め部材の螺合部は前記筆立部の他端に螺合され、前記第二位置決め部材の係止部は前記筆立部内に収納され、前記第二位置決め部材の凸状リブは前記第二位置決め部材の係止部の内壁に形成されることを特徴とする請求項２に記載の入力ペン。
【請求項４】
前記第一位置決め部材の係止部と螺合部との間には止め部が形成され、前記筆芯部の一端には当接部が設けられ、
前記筆芯部は前記筆立部から引き出された後、前記当接部は前記止め部に当止されることを特徴とする請求項２に記載の入力ペン。
【請求項５】
前記筆芯部は互いに連結するロッド部及び筆尾部を含み、前記係止凹溝は前記筆尾部に設けられ、前記当接部は前記ロッド部と前記筆尾部との接続部位に形成されることを特徴とする請求項４に記載の入力ペン。
【発明の詳細な説明】
【技術分野】
【０００１】
本発明は、入力ペンに関し、特に携帯式電子装置に用いられる入力ペンに関するものである。
【背景技術】
【０００２】
現在市販されている携帯電話、個人用携帯情報端末（ＰＤＡ）及びパソコン等の携帯式電子装置の殆どは、タッチパネルを備えている。これらの携帯式電子装置は、一般的に入力ペンを入力手段とする。
【０００３】
従来の入力ペンは通常携帯式電子装置の内部に内蔵されており、使用する場合、前記入力ペンを前記携帯式電子装置の蓋体から抜き出す。しかし、携帯式電子装置の蓋体の長さが短く且つ内部空間も小さいため、それに収納される入力ペンも短く設計しなければならない。従って、入力ペンの長さは制限されて、使用に不便である。
【発明の概要】
【発明が解決しようとする課題】
【０００４】
従来の問題を解決するために、伸縮できる入力ペンがたくさん設計されたが、それらの入力ペンの筆芯部と筆立部との構造がすべて複雑であり、製造し難しい。
【０００５】
本発明は、上記の課題に鑑みてなされたものであり、構造が簡単で、製造し易く、且つ伸縮自在な入力ペンを提供することを目的とする。
【課題を解決するための手段】
【０００６】
前記課題を解決するために、本発明に係る入力ペンは、中空の筆立部と、前記筆立部内に伸縮可能に収納される筆芯部と、それぞれ前記筆立部の両端に装着される第一位置決め部材及び第二位置決め部材と、を備えてなる。前記筆芯部の一端には係止凹溝が設けられており、前記第一位置決め部材及び前記第二位置決め部材の内壁には、それぞれ凸状ブリが設けられておる。前記第一位置決め部材の凸状ブリ又は前記第二位置決め部材の凸状ブリを前記筆芯部の係止凹溝に選択的に係合させることにより、前記筆芯部を前記筆立部に対して異なる位置に位置決めする。
【発明の効果】
【０００７】
従来の技術に比べて、本発明による入力ペンにおいては、筆立部の両端にそれぞれ第一位置決め部材及び第二位置決め部材を装着することにより、前記入力ペンの筆芯部を前記筆立部に対して伸長するか又は収縮する状態に位置決めして、前記筆立部に対する前記筆芯部の伸縮を実現する。従って、本発明の入力ペンは、構造が簡単で、製造し易く、便利に操作できるという利点を有する。
【図面の簡単な説明】
【０００８】
【図１】本発明の実施形態に係る入力ペンの組立図である。
【図２】図１に示す入力ペンの立体分解図である。
【図３】図２に示す入力ペンを別の視点から見た分解図である。
【図４】図１に示す入力ペンのＩＶ−ＩＶ線に沿う断面図である。
【図５】図１に示す入力ペンが伸長された状態での立体図である。
【図６】図５に示す入力ペンのＶＩ−ＶＩ線に沿う断面図である。
【発明を実施するための形態】
【０００９】
本発明の入力ペンは、携帯電話などの携帯式電子装置に用いられる。以下、図面を参照しながら本発明の実施形態に係る入力ペンについて詳細に説明する。
【００１０】
図１及び図２に示したように、本発明の入力ペン１００は、筆立部１０と、第一位置決め部材２０と、第二位置決め部材３０と、筆芯部４０と、前記筆芯部４０の一端に被せるキャップ５０と、を備える。前記第一位置決め部材２０及び前記第二位置決め部材３０は、別々に前記筆立部１０の両端に装着される。前記筆芯部４０は、前記筆立部１０内に伸縮可能に収納され、且つその一端は前記第一位置決め部材２０を貫く。
【００１１】
前記筆立部１０は中空の円柱体であり、その軸方向に沿って前記筆立部１０を貫通する収容空洞部１２が設けられている。前記筆立部１０の両端の内壁には、第一ねじ山凹孔１４及び第二ねじ山凹孔１６が別々に設けられている。
【００１２】
前記第一位置決め部材２０は、順次に同軸連接する筒状部２２、螺合部２４及び係止部２６を含む。前記第一位置決め部材２０の軸方向に沿って、前記筒状部２２、前記螺合部２４及び前記係止部２６を連続して貫通する貫通孔２７が設けられ、前記筆芯部４０は前記貫通孔２７を介して前記第一位置決め部材２０を貫く。前記筒状部２２は、前記筆立部１０と同じ直径を有するので、前記筆立部１０の一端に当止されることができる。前記螺着部２４及び前記係止部２６は、すべて前記収容空洞部１２内に収納される。
【００１３】
前記螺合部２４の外周面には第一ねじ山２４２が設けられ、前記第一ねじ山２４２と前記第一ねじ山凹孔１４との螺合により前記第一位置決め部材２０を前記筆立部１０の一端に固定する。前記係止部２６は、互いに対向して設置される２つの弧状の係止アーム２６２を含み、各々の係止アーム２６２の内壁には凸状リブ２６４（図３を参照）が設けられている。前記係止部２６の内径は前記螺合部２４の内径より大きいので、前記係止部２６と前記螺合部２４との接続部位には環状の止め部２８が形成される（図４を参照）。なお、前記凸状リブ２６４が弾性を持ちさえすれば、前記２つの係止アーム２６２を一体に連結してもよい。
【００１４】
前記第二位置決め部材３０は、円柱状の基部３２、螺合部３４及び係止部３６を含み、本実施形態において、前記第二位置決め部材３０の形状やサイズは、前記第一位置決め部材２０に等しい。前記螺合部３４の外周面には第二ねじ山３４２が設けられており、前記第二ねじ山３４２と前記第二ねじ山凹孔１６とが互いに螺合されて、前記第二位置決め部材３０は前記筆立部１０の他端に固定される。前記係止部３６も互いに対向して設置される２つの弧状の係止アーム３６２を含み、各々の係止アーム３６２の内壁には凸状リブ３６４が設けられている。
【００１５】
前記筆芯部４０は、円柱状のロッド部４２と、別々に前記ロッド部４２の両端に連結される筆尾部４４及び筆先部４６と、を備える。前記筆尾部４４の直径は前記ロッド部４２の直径より大きいので、前記筆尾部４４と前記ロッド部４２との接続部位には、当接部４４２が形成される。前記筆立部１０から前記ロッド部４２を引き出すと、前記当接部４４２は前記第一位置決め部材２０の止め部２８に当止される。
【００１６】
前記筆尾部４４の軸方向に沿ってスリット４４４が設けられて、これにより前記筆尾部４４は対向する２つの係止アーム４４６に分かれる。各々の係止アーム４４６の外周面には、半円形の係止凹溝４４８が凹んで形成される。前記筆芯部４０が未使用状態になると、前記第二位置決め部材３０の凸状リブ３６４は前記係止凹溝４４８に係合するため、前記筆芯部４０は前記筆立部１０の内部に固定される。前記筆芯部４０を引き出すと、前記第一位置決め部材２０の凸状リブ２６４は前記係止凹溝４４８に係合して、前記筆芯部４０を前記筆立部１０に対して位置決めする。
【００１７】
前記筆先部４６は円錐状を呈し、携帯式電子装置のタッチパネルをタッチすることに使用される。前記筆先部４６の外周面には、環状の係止凹溝４６２が凹んで形成される。
【００１８】
前記キャップ５０は、前記筆芯部４０に被せて着脱可能であり、中空の円筒部５２、係止部５４及び止め部５６を備える。前記円筒部５２の一端は開口しており、前記係止部５４は前記開口を介して前記円筒部５２内に装着される。前記係止部５４の内壁には、環状の凸状リブ５４２及び２つの止めブロック５４４が設けられている（図４を参照）。前記凸状リブ５４２が前記筆先部４６の係止凹溝４６２に係合すると、前記キャップ５０は前記筆芯部４０一端に被せる。前記２つの止めブロック５４４は前記筆先部４６を止めることに使用される。前記止め部５６は、熱熔融、係合又は螺合などの方式で前記円筒部５２の内壁に固定され、且つ前記係止部５４に当止されて、前記係止部５４が前記円筒部５２から脱落することを防止する。本実施形態において、螺合方式で前記止め部５６を前記円筒部５２に固定する。前記入力ペン１００を便利に携帯するために、前記キャップ５０の一端に吊り縄を設けるのが好ましい。
【００１９】
以下、図２乃至図４を参照しながら、本発明の入力ペン１００を組み立てる場合のステップを詳細に説明する。
【００２０】
まず、前記第一位置決め部材２０を前記筆立部１０の一端に螺合してから、前記筆芯部４０の筆先部４６が設けられた一端を、前記筆立部１０の他端から前記筆立部１０内に挿入して、前記筆先部４６を前記第一位置決め部材２０から露出させる。
【００２１】
次に、前記第二位置決め部材３０を前記筆立部１０の前記第一位置決め部材２０から離れた他端に螺合してから、前記第二位置決め部材３０に向って前記筆芯部４０を推進して、前記第二位置決め部材３０の凸状リブ３６４を前記筆尾部４４の係止凹溝４４８に係合させる。
【００２２】
次に、前記係止部５４を前記円筒部５２内に装着してから、前記止め部５６を前記円筒部５２の開口端に螺合して、前記止め部５６を前記係止部５４に当止させる。これで、前記キャップ５０を一体に組み立てた。
【００２３】
最後に、上記組み立てたキャップ５０を前記筆先部４６上に被せて、前記キャップ５０の凸状リブ５４２が前記筆先部４６の係止凹溝４６２に係止する。これで、前記入力ペン１００の組立を完成する。
【００２４】
図５及び図６に示したように、前記入力ペン１００を使用する場合、前記筆立部１０から離れる方向に向かって前記キャップ５０の円筒部５２を引張ると、前記係止部５４は前記筆芯部４０を連動して移動し、前記第二位置決め部材３０の凸状リブ３６４が前記筆尾部４４の係止凹溝４４８から後退する。引き続き前記円筒部５２を引張って、前記筆芯部４０の当接部４４２を前記第一位置決め部材２０の止め部２８に当止させ、且つ前記第一位置決め部材２０の凸状リブ２６４を前記筆尾部４４の係止凹溝４４８に係止させると、前記筆芯部４０は前記筆立部１０に対して完全に伸長される。さらに前記円筒部５２を引張って、前記キャップ５０の凸状リブ５４２を前記筆先部４６の係止凹溝４６２から後退させて、前記筆芯部４０の一端から前記キャップ５０を取り外すと、ユーザーは前記入力ペン１００を使用できる。
【００２５】
なお、前記係止部５４と前記筆先部４６との係止力を、前記筆尾部４４と前記第二位置決め部材３０との係止力より小さくしてもよい。この場合、前記キャップ５０を取り外してから、前記筆芯部４０を長く引き出す。
【００２６】
本発明の別の実施形態において、熱熔融方式で前記第一位置決め部材２０及び前記第二位置決め部材３０を別々に前記筆立部１０の両端に固定することができる。
【００２７】
本発明の実施形態において、凸状リブが設けられた第一位置決め部材２０及び凸状リブが設けられた第二位置決め部材３０を別々に前記入力ペン１００の筆立部１０の両端に装着すると共に、前記筆芯部４０の筆尾部４４に係止凹溝４４８を設ける。前記第一位置決め部材２０の凸状リブ又は前記第二位置決め部材３０の凸状リブを前記筆芯部４０の係止凹溝４４８に係合することにより、前記筆芯部４０を前記筆立部１０に対して伸長するか又は収縮する状態に位置決めする。本発明の入力ペン１００は、構造が簡単であり、便利に操作できるという利点を有する。
【００２８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２９】
１０      筆立部
１２      収容空洞部
１４      第一ねじ山凹孔
１６      第二ねじ山凹孔
２０      第一位置決め部材
２２      筒状部
２４      螺合部
２６      係止部
２７      貫通孔
２８      止め部
３０      第二位置決め部材
３２      基部
３４      螺合部
３６      係止部
４０      筆芯部
４２      ロッド部
４４      筆尾部
４６      筆先部
５０      キャップ
５２      円筒部
５４      係止部
５６      止め部
１００    入力ペン
２４２    第一ねじ山
２６２    係止アーム
２６４    凸状リブ
３４２    第二ねじ山
３６２    係止アーム
３６４    凸状リブ
４４２    当接部
４４４    スリット
４４６    係止アーム
４４８    係止凹溝
４６２    係止凹溝
５４２    凸状リブ
５４４    止めブロック
【図１】
2011198350.tif 000003
【図２】
2011198350.tif 000004
【図３】
2011198350.tif 000005
【図４】
2011198350.tif 000006
【図５】
2011198350.tif 000007
【図６】
2011198350.tif 000008